(57)【要約】【課題】  シュリンクラップ包装を施したスチールキャップを装着したボトルのマルチパック包装製品のスチールキャップに錆びが生ずることを防止する。【解決手段】  スチール製キャップを装着した複数本のボトルをマルチパック包装体に収容したマルチパック包装製品を樹脂フィルムによりシュリンクラップ包装してなるシュリンクラップ包装製品において、シュリンクフィルムがスチール製キャップに密着することを阻止するガード部材を設ける。これにより、スチールキャップとシュリンクフィルムとの密着部に水滴の付着が防止され、錆びの発生を防止することができる。【選択図】  図３
2005112431.tif 000002
【特許請求の範囲】
【請求項１】
スチール製キャップを装着した容器あるいは当該容器複数個を前記のキャップの一部が露出する形態でカートンで包装されたマルチパック包装品を樹脂フィルムにてシュリンクラップ包装してなるシュリンクラップ包装製品において、シュリンクフィルムがスチール製キャップに密着することを阻止するガード部材を設けたことを特徴とするシュリンクラップ包装製品。
【請求項２】
スチール製キャップを装着した容器複数個を前記のキャップの一部が露出する形態でカートンで包装されたマルチパック包装品を、樹脂フィルムにより一体にシュリンクラップ包装してなるシュリンクラップ包装製品において、シュリンクラップフィルムがスチール製キャップに密着することを阻止するガード部材を設けたことを特徴とするシュリンクラップ包装製品。
【請求項３】
頭部開口にスチール製キャップを装着した容器を複数個収容するためのマルチパック包装体において、前記マルチパック包装体に形成した容器頭部係合窓に、シュリンクフィルムと前記キャップとの密着を阻止するガード部材を設けたことを特徴とするマルチパック包装体。
【請求項４】
ガード部材は容器頭部係合窓の上部より横方向に庇状に突出してマルチパック包装体に一体的に形成したことを特徴とする請求項３に記載のマルチパック包装体。
【請求項５】
庇状のガード部材の縁部を、略半円形を連続させた波型形状としたことを特徴とする請求項４に記載のマルチパック包装体。
【発明の詳細な説明】
【技術分野】
【０００１】
本発明は、スチール製キャップを使用した酒類や飲料水等のボトルを樹脂フィルムでシュリンクラップ包装した際のスチールキャップの結露による錆びの発生の防止する技術に関する。
【背景技術】
【０００２】
一般に、ビール、発泡酒等の酒類や清涼飲料水が充填されたボトルや缶類の製品の販売形態として、これら容器を厚紙などで形成された簡易包装カートンに複数個、例えば半ダースを収容していわゆるマルチパック包装製品として販売している。このマルチパック包装製品は、複数の容器をまとめて保持して取扱いを容易にするための機能を有するもので、各容器を完全に覆うものでなく、例えば、例えば、両側部が開口した厚紙からなる直方体のような簡易な構造のものが使用される。そして、包装する容器を保持する必要性から、容器の頭部を係合させる切欠き窓を形成し、この切欠き窓に例えばボトルの頭部の一部を係合させて容器の離脱を防ぐようにしている。更に、万一、カートンが破壊されて収納した容器がバラバラにならないようにマルチパック全体をシュリンクラップ包装する場合がある。
【０００３】
また、このマルチパック包装製品を工場から販売店に搬送する場合、当該マルチパックを複数個段ボール製のハーフトレイに並べて全体をシュリンクラップ包装する場合がある。図８はシュリンクラップ包装された製品の一例を示すもので、図８（ａ）、（ｂ）は左右２列に３本づつボトルを並べ、包装カートンに収容し、これを樹脂フィルムによりシュリンクラップ包装した製品を示し、（ｃ）はボトル単品のスチール製キャップを含む頭部をシュリンクラップ包装した場合を示す。
【発明の開示】
【発明が解決しようとする課題】
【０００４】
ところで、上述のようにシュリンクラップ包装した場合、包装カートンに設けられた各容器の頭部と係合する切欠き窓よりキャップ部が露出しており、シュリンクラップ包装すると、シュリンクフィルムとキャップの前記露出部分とが密着することになる。そうするとボトルに付着した水分や結露水、あるいはシュリンクフィルム内側に形成される結露水が当該密着部分に留まり、使用キャップがスチール製であると、キャップに錆が発生し、品質低下を来たす場合がある。このことは、マルチパック包装品に限らず、上記シュリンプラップ包装を施さないマルチパック製品を複数個トレイに載せて全体をシュリンクラップ包装する場合、あるいは、ボトル単体をシュリンクラップ包装する場合も同様である。
【０００５】
本発明は、上述した問題点を解決するものであり、スチール製キャップを装着した容器を単体あるいはマルチパック包装したもの、あるいは、マルチパック包装したものを複数個まとめたものをシュリンクラップ包装する場合、スチール製キャップとシュリンクフィルムとが接触しないようにシュリンクラップ包装することを目的とするものである。
【課題を解決するための手段】
【０００６】
上記課題は、スチール製キャップを装着した容器を単体あるいは複数個まとめてカートンによりマルチパックしたものを、樹脂フィルムによりシュリンクラップ包装する場合、シュリンクフィルムがスチール製キャップに密着しないよう阻止するガード部材を設けることにより達成される。
【０００７】
本発明によれば、当該ガード部材によりシュリンクフィルムとキャップとが密着しないため、キャップ部に水滴が留まらず、スチールキャップの錆が発生を防止できる。
【発明の効果】
【０００８】
本願発明によれば、シュリンクラップ包装されたスチールキャップが装着されたボトルのスチールキャップに錆びが発生することを防止することができる。
【０００９】
また、スチールキャップの側部が外側に突出することがなく、製品取扱い時に手がひっかかるようなことを防止できる。
【発明を実施するための最良の形態】
【００１０】
以下、本発明の実施例を図面を参照にして説明する。
【００１１】
図１乃至３を用いて本発明を複数本のボトルをマルチパック包装体に収容した製品に適用した例について説明する。
【００１２】
図１は本発明が適用される複数本のボトルを簡易的に収容して保持するためのいわゆるマルチパック包装体１を示す。尚、図１（ａ）は平面図、図１（ｂ）は正面図、図１（ｃ）は側面図である。本実施例によるマルチパック包装体１（以下、単位「包装体」という。）は、図示のように、全体として上面２、底面３、正面４、裏面５の４面からなり、上部がやや幅狭とされ、両側部が開口部とされた概略直方体形状の箱体であり、厚紙で形成されている。本実施例の包装体１は、６本のボトルを２列に整列して収容するように意図されたものである。
【００１３】
包装体１の正面４には、収容するボトルの頭部を係合させるための略半長円形の窓穴２ａが上方に３ヶ所形成され、対応して下方にはボトルの底部を係合させる窓穴２ｂが３ヶ所形成されている（図１（b）参照）。同様に裏面５にも同様に窓穴（下部の窓穴３ｂのみ図１（ａ）に示される。）が形成されている。
【００１４】
包装体１にボトル（図示せず）を収容する際には、一方の列のボトルの頭部の一部が窓穴２ａから外方に突出し、これにより包装対とボトルが係合するようにされている。また、底部においても、同様に窓穴２ｂにボトル底部が係合し、頭部の係合と相俟ってボトルを包装体１内に係合保持するようにしている。他方の列についても、同様にボトルの頭部と底部が裏面５の上部と下部に形成された窓穴に係合して保持される。包装体１の上部に窓穴２ａには、更に、本発明によりガード部材７を設けている。このガード部材７は上部の窓穴２ａ，（３ａ）の各々に窓穴の上辺から横方向に庇状に突出するように設けている（図１（ｃ）参照）。尚、包装体１の台紙の製作時に窓穴２ａを形成するための切り込みを入れることになるが、この窓穴２ａを切り開いた切り開き片を窓穴２ａの上辺部に残してこれをガード部材７とすることができる。これによって、包装体１と一体的に庇状のガード部材を形成することができる。
【００１５】
図２は、上述の包装体１に酒類や清涼飲料等を充填した６本のスチール製キャップを装着したボトル１０を収容した状態を示している。図２（ａ）は上面から観た図の一部を、（ｂ）は側面から観た図の一部を、（ｃ）は正面から観た図の一部を示す。図２（ｂ）及び（ｃ）において、ボトル頭部のスチール製キャップ１１の一部が窓穴２ａから外側に突出して、これによって包装体１に係合している状態がわかる。
【００１６】
図３（ａ）は、図２に示された包装体１に６本のボトル１０が収容された状態のマルチパック製品に樹脂フィルム２０で覆うシュリンクラップ包装を施した製品を示している。図示のように、樹脂フィルム２０は、庇状のガード部材７によって窓穴から突出したスチールキャップに密着することが阻止されている。これによって、スチールキャップ部の近傍は内部の通気性が良好となり、したがって、水分の滞留がなくなり、スチールキャップに水滴が付着することがなくなる。これにより、スチールキャップに錆びが生じることを効果的に防止することができる。
【００１７】
図４は図１に示した包装体の変形例を示す。包装体１１は包装体１と同様な構成であり、庇状のガード部材１７の形状のみが図１の包装体１と異なる。図示のように、ガード部材の円形状の縁部が波形に輪郭１７ａとなるように形成されている。本例の包装体１１にあっても、シュリンクラップを施した後は、ガード部材が横方向にシュリンクフィルムを介して突出することになるが、ガード部材の縁部を波形の輪郭１７ａとすることにより、手が触れても手に傷をつけるようなことが避けられ、安全性の高い製品とすることができる。
【００１８】
図５は本発明の他の実施例を示し、包装体２１の側面図を示し。尚、包装体２１は、ガード部材の構成を除いては図１に示した構成と同じであり、全体の説明は省略している。
【００１９】
本実施例においては、複数本のボトルを収容した包装体２１の上面に一枚の板状のガード部材２７を配置したものである。ガード部材２７は矩形状をなし、そのサイズは側辺部２７ａ，２７ｂがボトル頭部を庇のように覆うサイズとしている。この状態で前述の例と同様にシュリンクラップ包装を施したものが図６に示されている。この例においても、ガード部材２７がシュリンクフィルムとボトルのキャップの密着を阻止し、キャップに錆びが発生することを防止することができる。
【００２０】
図７は、ボトル単体のキャップを含む頭部に樹脂フィルムを用いてシュリンクプラップ包装する場合を示し、ボトルの頭部に被せる形状の樹脂フィルムの上面内壁に厚紙ガード部材３７を設け、図示のようにこれをボトル頭部に被せ、樹脂フィルム３０を熱収縮させてシュリンクラップ包装を行う。ガード部材はキャップより径が大きいため、樹脂フィルムを熱収縮させてもスチール製キャップに密着することがない。
【００２１】
尚、ボトル単体では、本実施例に限らず、ボトル全体をシュリンクラップ包装するようにしてもよい。この場合も樹脂フィルム上内壁にガード部材を設けるとよい。
【００２２】
以上のように、本発明によれば、スチールキャップを備えたボトルをマルチパック包装体に収容したマルチパック製品をシュリンクラップ包装するに当たり、スチールキャップとシュリンクフィルムとの密着を阻止する手段を講ずることにより、スチールキャップに錆びが生じることを効果的に防止することが可能となる。
【産業上の利用可能性】
【００２３】
上述の実施例においては、酒類あるいは清涼飲料を充填したスチールキャップを備えるボトルをマルチパックした製品を対象として説明したが、本発明がこれら飲料を充填したボトル以外のボトル、例えば、医薬品や健康食品を収容する瓶類にも適用できることは明らかである。
【図面の簡単な説明】
【００２４】
【図１】本発明によるマルチパック包装体を示し、（ａ）は平面図、（ｂ）は正面図、（ｃ）は側面図である。
【図２】マルチパック包装体にボトルを収容した状態を示し、（ａ）は上面から観た図の一部を、（ｂ）は側面から観た図の一部を、（ｃ）は正面から観た図の一部を示す。
【図３】本発明によるマルチパック包装体を使用してシュリンクラップを施したシュリンクラップ包装製品を示す図である。
【図４】本発明の実施例のマルチパック包装体の変形例を示す図である。
【図５】本発明の他の実施例を示す図である。
【図６】図５の実施例のマルチパック包装体を使用したマルチパック製品をシュリンクラップ包装を施したシュリンクラップ包装製品を示す図である。
【図７】本発明のガード部材をボトル単体に適用した例を示す。
【図８】従来のシュリンクラップ包装製品を示す図であり、（ａ）は側部斜め上方から観た図、（ｂ）は正面斜め上方から観た図を示す。（ｃ）はボトル単体のシュリンクラップ包装製品を示す。
【符号の説明】
【００２５】
１、１１，２１、マルチパック包装体
７、１７、２７、３７  ガード部材
２ａ頭部係合窓穴
２ｂ低部係合窓穴
１０  ボトル
【図１】
2005112431.tif 000003
【図４】
2005112431.tif 000004
【図５】
2005112431.tif 000005
【図７】
2005112431.tif 000006
【図２】
2005112431.tif 000007
【図３】
2005112431.tif 000008
【図６】
2005112431.tif 000009
【図８】
2005112431.tif 000010